(57)【要約】【課題】  ピストンシリンダー機構のシリンダーがシリンダースライド部を移動する際に発生する摩擦抵抗を、潤滑剤の助けを借りることなく低減することができるようにする。【解決手段】  銃本体に設けられているシリンダースライド部１２におけるシリンダー１５のスライドに伴ない、発射準備及び発射動作を行う圧縮ポンプ式玩具銃１０において、シリンダースライド部１２の内面とシリンダー１５の外面との間に、シリンダー１５のスライドを帯状又は線状の接触若しくは複数の点接触によって支持する支持手段２５を設け、支持手段２５は、自己潤滑性を有する素材によって形成する。【選択図】          図１
2005114259.tif 000002
【特許請求の範囲】
【請求項１】
銃本体に設けられているシリンダースライド部におけるシリンダーのスライドに伴い発射準備及び発射動作を行う圧縮ポンプ式玩具銃において、シリンダースライド部内面とシリンダー外面との間に、シリンダーのスライドを帯状又は線状若しくは複数の点接触によって支持する支持手段を設け、支持手段は、自己潤滑性を有する素材より成ることを特徴とする圧縮ポンプ式玩具銃における減摩装置。
【請求項２】
支持手段は、スライド部外面に円筒部が接する断面形状を有するリングから成る請求項１記載の圧縮ポンプ式玩具銃における減摩装置。
【請求項３】
支持手段は、リング状に形成された、少なくとも前後２部品を有し、それらの内の一方の部品は欠けたリング構造を有している請求項１又は２記載の圧縮ポンプ式玩具銃における減摩装置。
【請求項４】
自己潤滑性を有する素材は、ポリアセタール、ポリアミド、ポリテトラフルオロエチレンのいずれかより成る請求項１ないし３のいずれか記載の圧縮ポンプ式玩具銃における減摩装置。
【発明の詳細な説明】
【技術分野】
【０００１】
本発明は、銃本体に設けられているシリンダースライド部におけるシリンダーのスライドに伴い発射準備及び発射動作を行う圧縮ポンプ式玩具銃における減摩装置に関するものである。
【背景技術】
【０００２】
玩具銃の１種であるエアーガンは、圧縮ポンプを内蔵しており、シリンダー及びピストンのスライドによりコッキングが行われる。シリンダーをスライドさせてコッキングを行う場合、シリンダーは、外周面がシリンダー収容部内周面との間に摩擦を生じながらスライドすることになるので、摩擦減少のためにグリースなどの潤滑剤が用いられる。しかしながら、潤滑剤の効果がなくなれば抵抗が増して動きが悪くなり、直かに接触する箇所の磨耗が問題となる。また潤滑効果がいつなくなるかを的確に知ることは難しく、メインテナンスも厄介である。
【０００３】
なお、シリンダーとピストンとを有していてもピストンだけがスライドする形式の銃については、ピストンのシールで済むため上記のような問題は重要でない。ピストンによる圧縮形式を取るものには、例えば登録実用新案第３０１８２７１号などがある。従って上記の問題は、シリンダーのような筒状の部材又はそれと一体の部品が、それを挿入した筒状の部分の内外に配置され、手動で操作される形式の玩具銃に特有のものであると考えて良い。
【０００４】
【特許文献１】登録実用新案第３０１８２７１号
【発明の開示】
【発明が解決しようとする課題】
【０００５】
本発明は前記の点に着目してなされたものであって、その課題は、シリンダースライド部におけるシリンダーのスライド上発生する、摩擦抵抗を、潤滑剤の助けを借りることなく低減可能とすることである。また、本発明はシリンダースライド部におけるシリンダーのスライド上の摩擦抵抗を、単一部材又はそれと同等の最小構成によって低減可能とすることである。
【課題を解決するための手段】
【０００６】
前記の課題を解決するため本発明は銃本体に設けられているシリンダースライド部におけるシリンダーのスライドに伴い発射準備及び発射動作を行う圧縮ポンプ式玩具銃において、シリンダースライド部内面とシリンダー外面との間に、シリンダーのスライドを帯状又は線状接触若しくは複数の点接触によって支持する支持手段を設け、支持手段は、自己潤滑性を有する素材より構成するという手段を講じたものである。
【０００７】
本発明における圧縮ポンプは、シリンダーとその内部に配置されるピストンとを有し、ピストンが往復動することによって圧縮エアを発生させるものであり、発生した圧縮エアは、シリンダー先端部のノズルから噴射されるという公知の構成を有する。圧縮ポンプを構成するシリンダーのスライドは、ノズルの先に弾丸を装填するために行われ、ノズルの先の装弾部を空ける後退動作と、ノズルを弾丸に接近させる前進動作とから成る。前記の後退動作は、ピストンとシリンダーとを一体的に動かし、ピストンに作用する圧縮ばねを蓄圧する動作を含むが、シリンダーを前進させてノズルを弾丸に接近させる前進動作は手動で行う必要がある。
【０００８】
本発明の圧縮ポンプ式玩具銃では、シリンダースライド部におけるシリンダーの上記のスライドに伴い、発射準備動作と発射動作とが行われる。発射準備動作は、前記のピストンを後退させ、圧縮ばねを蓄圧する動作を意味し、通常、コッキングと呼ばれる動作に対応する。発射動作は、前記のピストンの前進を指し、蓄圧された圧縮ばねの解放によって行われ、ファイヤリング（発射）と呼ばれる動作に対応する。
【０００９】
このような構成を有するものにおいて、本発明は、シリンダースライド部内面とシリンダー外面との間に、減摩機構として機能する支持手段を設けている。この支持手段は、まず第１に、シリンダーを帯状又は線状の接触若しくは複数の点接触によって支持するもので、それによって接触面積の大幅な減少を図っており、第２に、支持手段は、素材の自己潤滑性によって摩擦係数の大幅な減少を図り、これら二つの減摩手段の相乗によってシリンダーのスライドが著しく軽快に行われるように構成されている。
【００１０】
支持手段が帯状の接触をする場合と、線状の接触をする場合とは、接触部分の幅が異なる。幅の広いものは帯状と、また幅の狭いものは線状と本発明において区別するものであり、例えば、図１に例示されている支持手段は線接触を行うリングから成る。これに対して、図４に例示されている支持手段は帯状接触を行うパイプから成り、また図５に例示されている支持手段は複数の点接触によってシリンダーを軸承するものであると言える。
【００１１】
例えば、リング状に形成された支持手段については、１個だけを使用しても良いが、例えば前後２部品をセットとして使用するとより効果的である。この場合、一方の部品はリングの一部が欠けたリング構造を有していることがよりフレキシブルとなり望ましく、シリンダーに付属しているハンドルに近いほうの支持手段の部品を欠けたリング状とすることが特に望ましい。このことは、欠けたリング構造が後部に来ることによって、シアの通過用間隙を兼ねることができるからである。なお本発明において欠けたリング状とは、ピストン機関に用いられるピストンリングのように分離可能な部分を有するリング状の意味である。しかし、２個共完全なリング状の支持手段を用いても良いし、２個共欠けたリング状の支持手段を用いても良い。欠けたリング状は部品寸法の公差を吸収するためにも効果的である。
【００１２】
また、自己潤滑性を有する素材を用いることは、前記のとおりであるが、同素材としては、例えばポリアセタール（Ｐ０Ｍ）、ポリアミド（ＰＡ）、ポリテトラフルオロエチレン（ＰＴＦＥ）のいずれかのような樹脂材料を用いることが望ましい。これらの樹脂材料により支持手段全体を型成形しても良いし、また支持手段のシリンダーを支持する部分を自己潤滑性を有する素材を使用して層状ないし膜状に覆っても良い。以上の説明においては、シリンダー支持手段をシリンダースライド部側にのみ設けた例について説明しているようではあるが、本願の請求項１記載の発明は、シリンダーのスライドを支持する支持手段の要件を満たせば良いので、シリンダースライド部かシリンダーかのどちらかに支持手段を設ければ良い。
【発明の効果】
【００１３】
本発明は上記の如く構成されかつ作用するものであるから、シリンダースライド部におけるシリンダーのスライド上発生する摩擦抵抗を、接触面積の減少と摩擦抵抗の減少との相乗効として著しく低下させ、軽快なスライドを潤滑剤の助けを借りることなく得ることができるとともに、支持手段は１個又は２、３個以内の非常に単純な形態を有する部品とすることが、できるから、機構的複雑さがなく、コスト面でも十分抑制的であるという効果を奏する。
【発明を実施するための最良の形態】
【００１４】
以下図示の例を参照し本発明をより詳細に説明する。図１は、本発明に係る圧縮ポンプ式玩具銃１０の要部断面を示すもので、１１は銃本体であり、円筒状の内腔の一部となっており、台座１３の上に取り付けられている。銃本体１１の円筒状の前部には、円筒状の内腔の一部として同径の銃身部１４が接続されている。また銃本体１７の後尾は開口しており、円筒状の内腔の全域にてスライダブルにシリンダー１５が嵌め込まれている。この銃本体１１の内腔が構成する円筒状の部分は請求項１におけるシリンダースライド部１２を構成する。
【００１５】
シリンダー１５は、先端にノズル１６を有し、内部に、ノズル１６から圧縮エアを噴射させるためのピストン１７が摺動可能に嵌挿されている。ピストン１７は後方に配置した圧縮ばね１８によって前方へ付勢されており、圧縮ばね１８は銃本体１３に設置したガイド１９に巻装されている。シリンダー１５の後端は尾栓２０によって閉じており、そこに操作用のハンドル２１が設けられている。また、ピストン１７は、シリンダー内面を摺動するシールリング２２を前部に有し、また圧縮ばね１９を圧縮位置でピストン１７を掛止しておくシア部材２３との掛止相手２４を後部に有している。
【００１６】
このようなシリンダー１５が、シリンダースライド部１４内を前進及び後退する動作に伴なう摩擦抵抗を減少させるための摩擦機構として、リング状の支持手段２５が２箇所に各１個ずつ設けられている。例示した支持手段２５は、シリンダースライド部１２の内面に設置してあり、シリンダー外面に円筒部が接する断面形状を有している。図１拡大図参照。２個の支持手段２５、２５の内、前部の部品は閉じた完全なリングとされ、後部の部品は１部が欠けたリング構造２６を有している。シリンダースライド部１４に対してシリンダー１５は僅かな遊び或いは隙間２７をもって嵌挿されており、それによるがたつきの発生を２個の支持手段２５、２５が止めるもので、それら、前部、後部共に完全なリングとすると、きつくなり過ぎて融通がきかない扱いにくいものとなるので、後部のリングを欠円状として操作性が損われないようになっているものである。シリンダー下部にはシア部材２３の移動のためのスリット３７が形成されている。
【００１７】
なお、図１ではポリアセタール（ＰＯＭ）によって支持手段２５の全体を型成形したものを示したが、これに限られないことは前述のとおりである。図１のリング状の支持手段２５は、ほぼ同一といって良い形状のリング２個（その内１方は一部（２６）を除去して形成できる。）から成るので、部品点数の増加は僅かなものであり、効果も大きい。しかし、スライド部外面に円筒面２８で接するパイプ状の部品から成る支持手段２５′を適用することもできる（図４参照）。摺動面積は例１の場合よりも広くなるけれども、自己潤滑性により摩擦抵抗の増大は抑制され、剛性が飛躍的に高まり、粗雑な扱いに耐える変形例である。また、多数の球形支持点２９を有するパイプ状の部品を支持手段２５″とすることも良い結果をもたらす（図５参照）。
【００１８】
図示の例では、支持手段２５、２５′、２５″の部品をシリンダースライド部側にて保持部に設けた例を示しているが、逆にシリンダー側に支持手段を設けても良いことは既に触れたとおりである。また、支持手段を構成する部品を任意の素材で形成し、シリンダー１５のスライドを帯状、線状又は点状接触によって支持する箇所のみ自己潤滑性を有する素材によってコーティングしても良い。
【００１９】
円筒状の内腔の前端部には、銃腔を有する内部銃身３１が設置されており、銃身後端の部分は、シリンダー先端部のノズル１６が嵌合する嵌合口３２となっている。嵌合口３２には、弾丸供給系３３が接続しており、ＢＢ弾などと称される球形弾丸３０をノズル後退毎に１発ずつ装弾部に装填することができるようになっている。なお、弾丸供給系３３から供給された弾丸３０は、ノズル先端部で嵌合口３２より装弾部へ押し出す構成を有している。
【００２０】
このような圧縮ポンプ式玩具銃１０では、ハンドル２１を後方へ引いてシリンダー１５を後退させるが、そのときにシリンダー後部では通常下向きに押さえる力が加わり、シリンダー前部では逆向きの力が加わる（図２（ａ）及び（ｂ）の破線参照）。この操作により圧縮ばね１８が蓄圧され（図２（ｂ））、シア部材２３が掛止相手２４を掛止する。この後ハンドル２１を戻すが、その際には、シリンダー後部を持ち上げ気味となり、シリンダー前部には逆に押し下げ気味の力が加わる（図３（ａ）及び（ｂ）の破線）。これらの不均等な外力を操作の都度受けるので、シリンダー表面は常に擦られる状態にあるが、本発明のものは支持手段２５…により摩擦抵抗が著しく減少しているため前進、後退が非常にスムーズに行われ、擦傷も生じにくい。ここではシリンダー１５に下向き或いは上向きの力が加わる例を挙げているが、これに限らないことは言うまでもなく、例えば左右方向やそれらの中間ということもある。
【００２１】
なお、銃の操作行程において図３（ａ）は、嵌合口３２に弾丸が押し出されている状態を、図３（ｂ）は、その弾丸３０をノズル先端で装弾部にセットしている状態を示す。ここで引金３３を引くと、上端３４が回転して凹部３５に移動し、中間部材３６が受けばねに抗して下降可能となるので、圧縮ばね力を受けているピストン１７の前進力によりシア部材２３が押し下げられ、瞬時に圧縮ポンプとしてのスライドが行われる。よって圧縮エアがノズル１６から噴射し、弾丸３０を発射し得るものとなる。
【産業上の利用可能性】
【００２２】
本発明は、圧縮ポンプ式玩具銃、ボルトアクション式のエアガン、手動又は自動操作式のスライドを有するエアモデルガン、その他シリンダーとシリンダースライド部とを有するものに適用し得る可能性がある。
【図面の簡単な説明】
【００２３】
【図１】本発明に係る減摩装置を搭載した玩具銃の１例を示す部分断面図とその要部拡大図。
【図２】（ａ）シリンダーの後退動作を示す説明図。（ｂ）シリンダー後退限界を示す説明図。
【図３】（ａ）シリンダーの前進動作を示す説明図。（ｂ）発射準備完了時の説明図。
【図４】本発明における支持手段の変形例１を示す断面図。
【図５】本発明における支持手段の変形例２を示す断面図。
【符号の説明】
【００２４】
１０  圧縮ポンプ式玩具銃
１１  銃本体
１２  シリンダースライド部
１５  シリンダー
１６  ノズル
１７  ピストン
１８  圧縮ばね
２１  ハンドル
２５、２５′、２５″  支持手段
２６  欠けたリング構造
２７  隙間
【図１】
2005114259.tif 000003
【図２】
2005114259.tif 000004
【図３】
2005114259.tif 000005
【図４】
2005114259.tif 000006
【図５】
2005114259.tif 000007